(57)【特許請求の範囲】
【請求項１】
第１の電話網と、
前記第１の電話網に接続される第２の電話網と、
前記第１の電話網に接続される電話機に関する設定情報を格納する格納手段と、
前記第１の電話網に接続される第１の電話機宛ての電話呼を受信した際に、前記設定情報に基づいて当該電話呼を前記第１の電話機または前記第２の電話網に接続された交換装置に着信させる制御手段と、
前記交換装置に着信した電話呼を前記第１の電話機に転送する転送手段とを具備し、
前記交換装置は、前記着信し転送した電話呼に関する管理情報を記憶することを特徴とする電話システム。
【請求項２】
前記交換装置は、前記第１の電話機宛ての電話呼を発信した発信元の第２の電話機に関する情報を前記交換装置の電話番号に付加してなる発信者番号通知情報を前記転送に際して前記第１の電話機に送信することを特徴とする請求項１に記載の電話システム。
【請求項３】
前記第１の電話網及び前記第２の電話網は、１１桁よりも多い桁数の前記発信者番号通知情報を受け渡す電話網であることを特徴とする請求項２に記載の電話システム。
【請求項４】
前記第１の電話機は、１１桁よりも多い桁数の前記発信者番号通知情報を表示する表示手段を具備することを特徴とする請求項２又は請求項３に記載の電話システム。
【請求項５】
前記第２の電話機に関する情報は、前記第２の電話機の電話番号に対応付けられた該電話番号とは異なる識別コードであることを特徴とする請求項２乃至請求項４のいずれかに記載の電話システム。
【請求項６】
前記電話システムは、前記識別コードと前記第２の電話機のユーザとの対応が登録された電話帳サーバを具備し、
前記第１の電話機は、前記電話帳サーバの登録内容を反映した登録情報を記憶する記憶手段を具備することを特徴とする請求項５に記載の電話システム。
【請求項７】
前記交換装置は、前記管理情報の一つとして前記転送した電話呼に関する通話内容を録音することを特徴とする請求項１乃至請求項６のいずれかに記載の電話システム。
【発明の詳細な説明】
【技術分野】
【０００１】
本発明は電話システム、交換装置及び電話機に関し、例えば、固定電話機から固定電話網及び携帯電話網を介して携帯電話機との間で通話を行うための電話システム、その交換装置及び電話機に関する。
【背景技術】
【０００２】
従来、電話網としては、固定電話網、携帯電話網、ＩＰ（Internetprotocol）電話網等、種々の電話網があり、電話機のユーザは、これらの電話網を管理運営する事業者等と契約することにより、通話（通信）を行うようになっている。これら複数の電話網では、相互接続を可能とすることにより、例えば、固定電話と携帯電話との間で通話を行うことが可能となっている。
【０００３】
ところで、係る電話網を用いたサービスの一つとして、異なる電話網と契約している場合であっても、電話網ごとに異なる電話番号を用いることなく、一つの電話番号で発着信を行うことを可能とするいわゆるワンナンバーサービスが考えられている（特許文献１参照）。
【特許文献１】特開２００７−１４２６１０号公報
【発明の開示】
【発明が解決しようとする課題】
【０００４】
ところで、例えば企業の社員が所持する携帯電話機に顧客からの電話呼が着信する場合、この電話呼を企業側で管理することができれば、一段と使い勝手を向上し得ると考えられる。
【０００５】
また、一般に電話呼を転送する場合、この転送された転送呼を着信する電話機（発信者番号通知を行う電話機）においては、転送を行った交換装置の電話番号を発信者番号通知として表示する必要があり、この転送呼を着信した電話機のユーザは、転送手段としての交換装置の電話番号を見ただけでは発信元を認識することが困難であった。
【０００６】
本発明はかかる点に鑑みてなされたものであり、一段と使い勝手の良い電話システム、交換装置及び電話機を提供することを目的とする。
【課題を解決するための手段】
【０００７】
本発明の電話システムは、第１の電話網と、前記第１の電話網に接続される第２の電話網と、前記第１の電話網に接続される電話機に関する設定情報を格納する格納手段と、前記第１の電話網に接続される第１の電話機宛ての電話呼を受信した際に、前記設定情報に基づいて当該電話呼を前記第１の電話機または前記第２の電話網に接続された交換装置に着信させる制御手段と、前記交換装置に着信した電話呼を前記第１の電話機に転送する転送手段とを具備し、前記交換装置は、前記着信し転送した電話呼に関する管理情報を記憶することを特徴とする。
【０００８】
この構成によれば、設定情報に基づいて、第１の電話網に接続される第１の電話機宛ての電話呼を第２の電話網に接続された交換装置に着信させた場合には、該電話呼に関する管理情報を交換装置において記憶することにより、第１の電話網に接続される第１の電話機宛ての電話呼を第２の電話網の交換装置側で管理することができる。
【０００９】
本発明の電話システムにおいては、前記交換装置は、前記第１の電話機宛ての電話呼を発信した発信元の第２の電話機に関する情報を前記交換装置の電話番号に付加してなる発信者番号通知情報を前記転送に際して前記第１の電話機に送信することが好ましい。
【００１０】
この構成によれば、第１の電話機宛ての電話呼を転送する際に、第１の電話機宛ての電話呼を発信した発信元の第２の電話機に関する情報を、転送を行った交換装置の電話番号に付加してなる発信者番号通知情報が第１の電話機に送信されることにより、第１の電話機においては、これらの情報に基づく発信者番号通知により発信元を認識することができる。
【００１１】
本発明の電話システムにおいては、前記第１の電話網及び前記第２の電話網は、１１桁よりも多い桁数の前記発信者番号通知情報を受け渡す電話網であることが好ましい。
【００１２】
本発明の電話システムにおいては、前記第１の電話機は、１１桁よりも多い桁数の前記発信者番号通知情報を表示する表示手段を具備することが好ましい。
【００１３】
本発明の電話システムにおいては、前記第２の電話機に関する情報は、前記第２の電話機の電話番号に対応付けられた該電話番号とは異なる識別コードであることが好ましい。
【００１４】
本発明の電話システムにおいては、前記識別コードと前記第２の電話機のユーザとの対応が登録された電話帳サーバを具備し、前記第１の電話機は、前記電話帳サーバの登録内容を反映した登録情報を記憶する記憶手段を具備することが好ましい。
【００１５】
本発明の電話システムにおいては、前記交換装置は、前記管理情報の一つとして前記転送した電話呼に関する通話内容を録音することが好ましい。
【発明の効果】
【００２６】
本発明によれば、一段と使い勝手の良い電話システム、交換装置及び電話機を提供することができる。
【発明を実施するための最良の形態】
【００２７】
以下、本発明の実施の形態について、添付図面を参照して詳細に説明する。
（第１の実施の形態）
図１は、本発明の実施の形態に係る電話システム１０を説明するための概略構成図である。図１に示すシステムは、第１の電話網（移動通信１２）と、第１の電話網（移動通信網１２）に接続される第２の電話網（ＩＰ電話網１３）と、第１の電話網（移動通信網１２）に接続される電話機（携帯電話機５０）に関する設定情報を格納する格納手段（移動通信センタ２０）と、第１の電話網（移動通信網１２）に接続される第１の電話機（携帯電話機５０）宛ての電話呼を受信した際に、設定情報に基づいて当該電話呼を第１の電話機（携帯電話機５０）または第２の電話網（ＩＰ電話網１３）に接続された交換装置４０に着信させる制御手段（移動通信センタ２０）と、交換装置４０に着信した電話呼を第１の電話機（携帯電話機５０）に転送する転送手段（ＩＶＲ転送・録音装置４２）とから主に構成されている。
【００２８】
この電話システム１０においては、固定電話網１１、移動通信網１２、ＩＰ電話網１３が相互に接続されるようになっており、固定電話網１１に接続される固定電話機３０と移動通信網１２に接続される携帯電話機５０との間で通話を行うことができるようになっている。移動通信網１２は、通信事業者である移動通信センタ２０によって管理されており、この移動通信センタ２０は、固定電話網１１と移動通信網１２との間の接続、移動通信網１２とＩＰ電話網１３との間の接続、固定電話網１１とＩＰ電話網１３との間の接続を制御する。
【００２９】
また、ＩＰ電話網１３には、例えば固定電話機３０を所有するユーザに対して種々のサービスを提供する企業の設備としての交換装置４０が接続される。この交換装置４０は、ＩＰ−ＧＷ（ＩＰゲートウェイ）４１、ＩＶＲ(Interactive Voice Response: 自動音声応答装置)転送・録音装置４２、同期電話帳サーバ４３を含んでいる。ＩＰゲートウェイ４１は、交換装置４０をＩＰ電話網１３に接続するための装置である。ＩＶＲ転送・録音装置４２は、自動音声応答機能、転送機能及び録音機能を有する。
【００３０】
すなわち、ＩＶＲ転送・録音装置４２は、交換装置４０への着信に対して、自動音声による応答を行うと共に、この着信を他の電話機に転送するようになっている。例えば、ＩＶＲ転送・録音装置４２は、固定電話網１１の固定電話機３０からの着信を、移動通信網１２の携帯電話機５０へ転送する。
【００３１】
また、ＩＶＲ転送・録音装置４２は、転送に係る通話内容を録音することができるようになっている。例えば、固定電話機３０からの着信を携帯電話機５０へ転送する場合、この転送により固定電話機３０と携帯電話機５０との間で授受される音声は、ＩＶＲ転送・録音装置４２を介することとなり、ＩＶＲ転送・録音装置４２では、この音声を録音するようになっている。
【００３２】
また、同期電話帳サーバ４３は、図２に示すように、電話システム１０に接続される電話機（固定電話機３０等）のユーザ名（ａ，ｂ，ｃ…）及び電話番号（０４５−Ａ，０４５−Ｂ，０３−Ｃ：Ａ，Ｂ，Ｃは７桁又は８桁の数）が登録されている。この同期電話帳サーバ４３の登録内容は、後述する携帯電話機５０に送信されて該携帯電話機５０において保持され、同期電話帳サーバ４３の登録情報が携帯電話機５０に反映されるようになっており、携帯電話機５０側では反映された登録情報を更新できないようになっている。これにより、携帯電話機５０において電話呼を着信した場合には、後述するように、同期電話帳サーバ４３の登録情報と同様の情報が表示されるようになっている。
【００３３】
図３は、ＩＶＲ転送・録音装置４２の構成を示すブロック図である。なお、図３に示す構成は、本発明を説明するために簡略化したものであり、通常の転送装置に搭載される構成要素は備えているものとする。図３に示すように、ＩＶＲ転送・録音装置４２は、装置全体を制御する制御部１１１と、ＩＰ電話網１３を介して固定電話機３０や携帯電話機５０との間で通信を行うための通信制御部１１２と、転送される通話内容を録音するための録音部１１３と、他の機器との通信を行うためのインターフェイス（Ｉ/Ｆ）１１４と、転送を行うための各種データを格納する管理データベース（ＤＢ）１１５と、装置に搭載され、あるいはダウンロードされた種々のアプリケーションを起動するアプリ制御部１１６とから主に構成されている。
【００３４】
図４は、移動通信センタ２０の構成を示すブロック図である。なお、図４に示す構成は、本発明を説明するために簡略化したものであり、通常の移動通信センタに搭載される構成要素は備えているものとする。図４に示すように、移動通信センタ２０は、装置全体を制御する制御部１２１と、移動通信網１２を介して携帯電話機５０との間で移動通信により通信を行うと共に、固定電話網１１との接続、ＩＰ電話網１３との接続等を行うための通信制御部１２２と、通信サービスを管理する管理データベース（ＤＢ）１２４と、管理データベース１２４の情報を更新する情報更新部１２３と、装置に搭載され、あるいはダウンロードされた種々のアプリケーションを起動するアプリ制御部１２６とから主に構成されている。管理データベース１２４には、移動通信網１２に接続される携帯電話機５０に関する設定情報が格納され、移動通信センタ２０の制御部１２１は、この設定情報に基づいて、携帯電話機５０宛ての電話呼を、携帯電話機５０に直接着信させるか又はＩＰ電話網１３に接続された交換装置４０に一旦着信させるかのいずれかを選択して制御するようになっている。
【００３５】
図５は、図１に示すシステムにおける携帯電話機５０の概略構成を示すブロック図である。なお、図５に示す構成は、本発明を説明するために簡略化したものであり、通常の携帯電話機に搭載される構成要素は備えているものとする。
【００３６】
携帯電話機５０は、装置全体を制御する制御部１５１と、移動通信網１２を介して移動通信センタ２０との間で移動通信により通信を行う通信制御部１５２と、種々のデータを表示する表示部１５３と、種々の操作を行う操作部１５４と、カメラ機能により画像を撮像する撮像部１５６と、他の電話機（固定電話機３０等）のユーザ名及び電話番号が対応付けられて記憶される記憶部１５５と、装置に搭載され、あるいはダウンロードされた種々のアプリケーションを起動するアプリ制御部１５９とから主に構成されている。記憶部１５５に記憶される情報は、同期電話帳サーバ４３から提供されるものである。
【００３７】
撮像部１５６は、操作部１５４を介して撮像命令が入力された場合に、携帯電話機５０の筺体に設けられたレンズ（図示せず）を通して被写体象を取り込み、この被写体像を光電変換素子によって電気信号に変換することにより、画像データを得る。この画像データは、例えばＲＡＭ（Random Access Memory）構成の記憶部１５５に記憶される。
【００３８】
図１において、ＩＰ電話網１３において契約された交換装置４０は、移動通信網１２と契約した電話機（携帯電話機５０）に割り当てられる番号（例えば「０９０」で始まる１１桁の電話番号（以下これを携帯電話番号と呼ぶ））での発着信を行うようになっている。電話システム１０の移動通信センタ２０は、移動通信網１２に加入している携帯電話機のうち、交換装置４０と特定の関係にある携帯電話機５０について、所定の契約に基づき、該携帯電話機５０の携帯電話番号と、交換装置４０のＩＰ電話網１３での電話番号（例えば「０５０」で始まる１１桁の電話番号（以下これをＩＰ電話番号と呼ぶ））とを対応付けて管理データベース１２４（図４）に記憶している。そして、この携帯電話機５０宛ての電話呼があった場合、宛先の携帯電話番号が交換装置４０と特定の関係にあるか否かを管理データベース１２４の登録内容から判断し、特定の関係にある場合には、該携帯電話機５０の携帯電話番号に対応付けられている交換装置４０のＩＰ電話番号に該携帯電話機５０宛ての電話呼を送信する。
【００３９】
本実施の形態の場合、交換装置４０を所有する企業の営業マンが携帯電話機５０を所持して営業活動を行うことを想定しており、携帯電話機５０は、交換機４０を所有する企業に属するものとする。これにより、携帯電話機５０の携帯電話番号に対応付けられているＩＰ電話番号として、交換装置４０のＩＰ電話番号が割り当てられている。
【００４０】
かくして、携帯電話機５０を宛先とする電話呼は、交換装置４０に一旦着信することになる。例えば、固定電話機３０から携帯電話機５０に対して、該携帯電話機５０の携帯電話番号（０９０−Ａ：Ａは８桁の数）を発信先として電話呼が発信された場合、この電話呼は、固定電話網１１、移動通信センタ２０及びＩＰ電話網１３を介して交換装置４０に着信する。交換装置４０のＩＶＲ転送・録音装置４２は、着信した電話呼の発信元（例えば固定電話機３０）の電話番号（例えば０４５−Ａ：Ａは７桁の数字）（図６（Ａ））に基づいて、図６（Ｂ）に示すように、交換機５０のＩＰ電話番号（例えば０５０−Ｃ：Ｃは８桁の数）に続くサブアドレスフィールドＳＦ１にこの発信元の電話番号を付加した番号を転送元の電話番号として携帯電話機５０に転送する。この場合、ＩＶＲ転送・録音装置４２は、転送先である携帯電話機５０の携帯電話番号の先頭に特定番号を付加して特番発信を行うことにより、この発信が再び交換装置４０に戻ってくるいわゆるループ現象が発生することを防止している。ＩＰ電話網１３、移動通信センタ２０及び移動通信網１２は、係るサブフィールドＳＦ１及び特番が付加された転送元番号を送信する。
【００４１】
携帯電話機５０は、交換装置４０からの転送呼を着信すると、この転送を行った交換装置４０のＩＰ電話番号に付随するサブフィールドＳＦ１（図６（Ｂ））から発信元である固定電話機３０の電話番号を判別し、この電話番号に対応付けられたユーザ名を記憶部１５５（図５）から検索する。そして、図７に示すように、検索されたユーザ名を、転送元の交換装置４０のＩＰ電話番号（サブフィールドＳＦ１（図６（Ｂ））の発信元（固定電話機３０）の電話番号が付加されたもの）と共に、携帯電話機５０の表示部１５３に表示する。
【００４２】
これにより、携帯電話機５０のユーザは、表示部１５３の表示によって、電話呼の発信元が固定電話機３０のユーザであることを認識することができる。
【００４３】
このように、本実施の形態に係る電話システム１０においては、移動通信センタ２０において、いわゆるワンナンバと呼ばれるサービスにより携帯電話番号とＩＰ電話番号との対応付けを行うことにより、ＩＰ電話網１３に接続される交換装置４０において携帯電話番号での発着信が可能となる。これにより、例えば固定電話機３０から携帯電話機５０の携帯電話番号に電話をかけた場合には、その電話呼は、交換装置４０に一旦着信する。交換装置４０は、着信した電話呼をその発信先の電話番号（携帯電話機５０の携帯電話番号）に転送する。これにより、固定電話機３０から携帯電話機５０の携帯電話番号に電話をかけた場合であっても、交換装置４０を経由して固定電話機３０と携帯電話機５０との間で通話が行われることになる。従って、交換装置４０では、この通話を録音することが可能となる。すなわち、固定電話機３０から携帯電話機５０に対して、該携帯電話機５０の携帯電話番号を入力して電話をかけた場合においても、この通話の内容を交換装置４０において録音することが可能となる。
【００４４】
また、移動通信網１２、ＩＰ電話網１３、携帯電話機５０においては、１１桁以上の電話番号情報を授受するようになされており、交換装置４０は、固定電話機３０からの電話呼を携帯電話機５０に転送する場合、この転送を行う交換装置４０のＩＰ電話番号に発信元である固定電話機３０の電話番号を付加して転送することができる（図６（Ｂ））。これにより、携帯電話機４０の表示部１５３（図７）には、交換装置４０のＩＰ電話番号と共に発信元である固定電話機３０の電話番号が表示される。そして、この表示に際して、携帯電話機５０では、発信元の電話番号に基づいて記憶部１５５（図５）の登録情報を検索することにより、該電話番号に対応した固定電話機３０のユーザ名を表示する。
【００４５】
これにより、交換装置４０において転送されている場合においても、発信元である固定電話機３０の電話番号及びユーザ名を携帯電話機５０に表示させることが可能となる。従って、この表示を見た携帯電話機５０のユーザは、その電話に応答する前に発信元（固定電話気３０）を認識することができる。
【００４６】
また、交換装置４０は、転送を行う交換装置４０のＩＰ電話番号に発信元である固定電話機３０の電話番号を付加して転送することにより（図６（Ｂ））、携帯電話機４０の表示部１５３（図７）には、固定電話機３０の電話番号と共に交換装置４０のＩＰ電話番号が必ず表示されることになる。これにより、交換装置４０によって転送を行っている場合に、その旨を携帯電話機５０に表示させることができる。
【００４７】
なお、本実施の形態においては、図１に示したように、同期電話帳サーバ４３を用いて、この同期電話帳サーバ４３の登録内容を携帯電話機５０に反映させ携帯電話機５０側では反映された登録情報を更新できない場合について述べたが、本発明はこれに限られるものではなく、携帯電話機５０側でも反映された登録情報の更新（新規追加、変更、削除等）を行えるようにしてもよい。また、同期電話帳サーバ４３を用いないものとしてもよく、この場合、携帯電話機５０のユーザは、必要なユーザについては、手動で固定電話機３０の電話番号とユーザ名を記憶部１５５に登録しておくようにすればよい。
【００４８】
（第２の実施の形態）
図８は、第２の実施の形態に係る電話システム２００を説明するための概略構成図である。第２の実施の形態に係る電話システム２００は、第１の実施の形態に係る電話システム１０に比べて、固定電話機３０から携帯電話機５０宛てに発信された電話呼を、交換装置４０において転送する場合に、該交換装置４０から転送先である携帯電話機５０に対して、転送を行う交換装置４０のＩＰ電話番号と共に発信元の固定電話機３０の電話番号を送信することに代えて、交換装置４０のＩＰ電話番号と共に固定電話機３０の識別コードを送信する点が異なる。この識別コードは交換装置４０の同期電話帳サーバ２４３に登録されている。
【００４９】
また、携帯電話機５０においては、他の電話機（固定電話機３０等）のユーザ名及び識別コードが対応付けられて記憶部１５５に記憶されている。この識別コードは、交換装置４０の同期電話帳サーバ２４３から提供されるものであり、この同期電話帳サーバ２４３に登録されている情報と一致するものである。
【００５０】
交換装置４０は、固定電話機３０から携帯電話機５０を宛先として発信された電話呼を転送する際に、発信元である固定電話機３０の電話番号に代えて、該固定電話機３０に対応付けられた識別コードを送信することにより、この情報を受け取った携帯電話機５０では、発信元の固定電話機３０の電話番号を秘匿して表示することが可能となる。なお、図８において、図１と同一の部分には同一符号を付して、重複した説明は省略する。
【００５１】
交換装置４０は、図９に示すように、固定電話機３０のユーザ名（ａ，ｂ，ｃ…）、電話番号（０４５−Ａ，０４５−Ｂ，０３−Ｃ：Ａ，Ｂ，Ｃは７桁又は８桁の数）及びこれに対応付けられた識別コードが登録された同期電話帳サーバ２４３を備える。交換装置４０のＩＶＲ転送・録音装置４２は、固定電話機３０から携帯電話機５０を宛先とする電話呼を着信すると、着信した電話呼の発信元（固定電話機３０）の電話番号（例えば０４５−Ａ：Ａは７桁の数字）に基づいて、同期電話帳サーバ２４３から固定電話機３０のユーザ名と該固定電話機３０に対応付けられた識別コードを検索する。
【００５２】
そして、ＩＶＲ転送・録音装置４２は、着信した電話呼の発信元（固定電話機３０）の電話番号（図１０（Ａ））に基づいて、図１０（Ｂ）に示すように、検索された識別コード（例えば、「０１２３４５６７０１」）を、交換装置４０のＩＰ電話番号にサブフィールドＳＦ１として付加し（図１０（Ｂ））、これを転送呼として宛先の携帯電話機５０に転送する。
【００５３】
携帯電話機５０は、交換装置４０からの転送呼を着信すると、この転送を行った交換装置４０のＩＰ電話番号に付随するサブフィールドＳＦ１（図１０（Ｂ））から発信元である固定電話機３０の電話番号に対応付けられた識別コードを判別し、この識別コードに対応付けられたユーザ名を記憶部１５５（図５）から検索する。そして、図１１に示すように、検索されたユーザ名を、転送元の交換装置４０のＩＰ電話番号（サブフィールドＳＦ１（図１０（Ｂ））の識別コード（発信元（固定電話機３０）に対応付けられた識別コード）と共に、携帯電話機５０の表示部１５３に表示する。
【００５４】
これにより、携帯電話機５０のユーザは、表示部１５３のユーザ名を表示することによって、電話呼の発信元が固定電話機３０のユーザであることを認識することができる。本実施の形態においては、ユーザ名を表示するにあたって、そのユーザの固定電話機３０の電話番号に代えて識別コードが表示されることにより、電話番号が秘匿される。
【００５５】
このように本実施の形態に係る電話システム２００においては、携帯電話機５０の表示部１５３に転送を行った交換装置４０のＩＰ電話番号、識別コード及び発信元である固定電話機３０のユーザ名が表示されることにより、携帯電話機５０のユーザは、交換装置４０によって転送が行われた旨と、発信元のユーザ名とを認識することができる。そして、本実施の形態では、発信元である固定電話機３０の電話番号に代えて識別コードが表示されることにより、発信元ユーザの個人情報である電話番号を秘匿することができる。
【００５６】
（他の実施の形態）
本発明は上記実施の形態に限定されず、種々変更して実施することが可能である。本発明の範囲を逸脱しない限りにおいて、処理部や処理手順については適宜変更して実施することが可能である。その他、本発明の範囲を逸脱しないで適宜変更して実施することが可能である。
【００５７】
例えば、上述の実施の形態においては、発信側を固定電話機３０、受信側を携帯電話機５０としたが、これに限られるものではなく、種々の組み合わせを適用することができる。
【００５８】
また、上述の実施の形態においては、同期電話帳サーバ４３（２４３）が交換装置４０に含まれる場合について述べたが、本発明はこれに限られるものではなく、交換装置４０の外部に設けられるようにしてもよい。
【図面の簡単な説明】
【００５９】
【図１】本発明の第１の実施の形態に係る電話システムを説明するための概略構成を示す図である。
【図２】図１に示すシステムにおける同期電話帳サーバの登録情報を示す図である。
【図３】図１に示すシステムにおけるＩＶＲ転送・録音装置の概略構成を示すブロック図である。
【図４】図１に示すシステムにおける移動通信センタの概略構成を示すブロック図である。
【図５】図１に示すシステムにおける携帯電話機の概略構成を示すブロック図である。
【図６】交換装置から携帯電話機に送信される発信者番号通知情報を示す図である。
【図７】携帯電話機の表示部の表示例を示す図である。
【図８】本発明の第２の実施の形態に係る電話システムを説明するための概略構成を示す図である。
【図９】図８に示すシステムにおける同期電話帳サーバの登録情報を示す図である。
【図１０】交換装置から携帯電話機に送信される発信者番号通知情報を示す図である。
【図１１】携帯電話機の表示部の表示例を示す図である。
【符号の説明】
【００６０】
１０、２００  電話システム
１１  固定電話網
１２  移動通信網
１３  ＩＰ電話網
２０  移動通信センタ
３０  固定電話機
４０  交換装置
４１  ＩＰゲートウェイ
４２  ＩＶＲ転送・録音装置
４３、２４３  同期電話帳サーバ
５０  携帯電話機
１１１、１２１、１５１  制御部
１１２、１２２、１５２  通信制御部
１１３  録音部
１１４  インターフェイス
１１５、１２４  管理データベース
１１６、１２６、１５９  アプリ制御部
１２３  情報更新部
１５３  表示部
１５４  操作部
１５５  記憶部
１５６  撮像部
【図１】
0005269383.tif 000002
【図２】
0005269383.tif 000003
【図３】
0005269383.tif 000004
【図４】
0005269383.tif 000005
【図５】
0005269383.tif 000006
【図６】
0005269383.tif 000007
【図７】
0005269383.tif 000008
【図８】
0005269383.tif 000009
【図９】
0005269383.tif 000010
【図１０】
0005269383.tif 000011
【図１１】
0005269383.tif 000012